(57)【要約】【課題】各種管楽器に備える管楽器用ベルにおいて、ベル本体に対する縁輪の着脱を容易にできるようにする。【解決手段】筒状に形成されて管楽器本体に接続されるベル本体２０と、該ベル本体２０の外周面に設けられる金属製の縁輪３０と、を備え、前記ベル本体２０の外周面に、該外周面の周方向に延びて前記縁輪３０を収容する収容溝部２３が形成され、前記縁輪３０が、その周方向の一部を切り欠いた平面視Ｃ字状に形成されると共に、変形可能である管楽器用ベル３を提供する。【選択図】図２
2015034950.tif 000002
【特許請求の範囲】
【請求項１】
筒状に形成されて管楽器本体に接続されるベル本体と、該ベル本体の外周面に設けられる金属製の縁輪と、を備え、
前記ベル本体の外周面に、該外周面の周方向に延びて前記縁輪を収容する収容溝部が形成され、
前記縁輪が、その周方向の一部を切り欠いた平面視Ｃ字状に形成されると共に、変形可能であることを特徴とする管楽器用ベル。
【請求項２】
前記縁輪が、弾性変形可能に形成され、
前記縁輪が少なくとも前記収容溝部に収容された状態で、前記縁輪の周方向の一端及び他端を互いに近づける方向に付勢することを特徴とする請求項１に記載の管楽器用ベル。
【請求項３】
前記縁輪は、その周方向に対向する一端及び他端を連結すると共に、これら一端と他端との間隔を調整する調整ねじ部を備えることを特徴とする請求項１又は請求項２に記載の管楽器用ベル。
【請求項４】
筒状に形成されて複数のキーを外周面に配した管楽器本体と、
該管楽器本体の一端に設けられる請求項１から請求項３のいずれか一項に記載の管楽器用ベルと、を備えることを特徴とする管楽器。
【請求項５】
筒状に形成されて管楽器本体に接続されるベル本体の外周面に設けられる金属製の縁輪であって、
周方向の一部を切り欠いた平面視Ｃ字状に形成されると共に、変形可能であることを特徴とする縁輪。
【発明の詳細な説明】
【技術分野】
【０００１】
本発明は、管楽器用ベル、管楽器及び縁輪に関する。
【背景技術】
【０００２】
一般に、クラリネット、オーボエ、ファゴット等の各種管楽器は、管楽器本体の先端に、放音用のベル（管楽器用ベル）を備えている（例えば、特許文献１参照）。また、従来の管楽器用ベルには、ベル本体の外周に、リング状に形成された金属製の縁輪を固定したものがある。従来、縁輪をベル本体に固定する際には、例えば、縁輪の内周面に突起を形成した上で、縁輪の突起をベル本体の外周面に嵌めて締め込んでいる。
【先行技術文献】
【特許文献】
【０００３】
【特許文献１】特開平１１−２４９６４５号公報
【発明の概要】
【発明が解決しようとする課題】
【０００４】
しかしながら、上記従来の管楽器用ベルでは、縁輪をベル本体から取り外すことが難しい、という問題がある。また、ベル本体が木製である場合、ベル本体が乾燥して収縮すると、ベル本体に対する縁輪の取付状態が緩くなってしまう虞もある。
【０００５】
本発明は、上述した事情に鑑みてなされたものであって、縁輪をベル本体に対して容易に着脱できる管楽器用ベル、これを備える管楽器、及び、管楽器用ベルに用いる縁輪を提供することを目的とする。
【課題を解決するための手段】
【０００６】
上記課題を解決するために、本発明の管楽器用ベルは、筒状に形成されて管楽器本体に接続されるベル本体と、該ベル本体の外周面に設けられる金属製の縁輪と、を備え、前記ベル本体の外周面に、該外周面の周方向に延びて前記縁輪を収容する収容溝部が形成され、前記縁輪が、その周方向の一部を切り欠いた平面視Ｃ字状に形成されると共に、変形可能であることを特徴とする。
また、本発明の管楽器は、筒状に形成されて複数のキーを外周面に配した管楽器本体と、該管楽器本体の一端に設けられる前記管楽器用ベルと、を備えることを特徴とする。
さらに、本発明の縁輪は、筒状に形成されて管楽器本体に接続されるベル本体の外周面に設けられる金属製の縁輪であって、周方向の一部を切り欠いた平面視Ｃ字状に形成されると共に、変形可能であることを特徴とする。
【０００７】
本発明の管楽器用ベル、管楽器及び縁輪によれば、縁輪が平面視Ｃ字状に形成されているため、その周方向の一端及び他端が互いに離れるように縁輪を変形（塑性変形あるいは弾性変形）させることで、縁輪をベル本体に対して容易に着脱することができる。
【０００８】
そして、前記管楽器用ベルにおいては、前記縁輪が、弾性変形可能に形成され、前記縁輪が少なくとも前記収容溝部に収容された状態で、前記縁輪の周方向の一端及び他端を互いに近づける方向に付勢することが好ましい。
上記構成では、縁輪が、自身の弾性力によってベル本体を締め付けることで、縁輪を確実にベル本体の外周面に固定することができる。なお、縁輪をベル本体に対して着脱する際には、縁輪の付勢力に抗って縁輪の周方向の一端及び他端が互いに離れるように縁輪を弾性変形させればよい。
【０００９】
また、前記管楽器用ベルにおいて、前記収容溝部は、前記縁輪の径方向内縁側の部分のみを収容してもよい。
上記構成では、縁輪をベル本体に対して着脱する際に、縁輪の周方向の一端や他端を径方向へ移動させる長さを小さく抑えることができるため、さらに容易に着脱することが可能となる。
【００１０】
また、前記管楽器用ベルにおいては、前記縁輪が、前記ベル本体の軸方向の一方の端部に設けられ、前記ベル本体に、前記収容溝部の周方向の一部を前記ベル本体の一方の端部から外方に露出させる切欠部が形成されてもよい。
上記構成によれば、縁輪をベル本体に対して着脱する際に、縁輪の一端（あるいは他端を）切欠部に通して収容溝部の内外に移動させることができるため、縁輪を容易にベル本体に対して着脱することが可能となる。
【００１１】
また、前記管楽器用ベルにおいては、前記縁輪は、その周方向に対向する一端及び他端を連結すると共に、これら一端と他端との間隔を調整する調整ねじ部を備えてもよい。
上記構成によれば、調整ねじ部により、縁輪の周方向の一端と他端との間隔を調整することで、縁輪の内径寸法が変化するため、縁輪をベル本体に対してさらに容易に着脱することができる。
【発明の効果】
【００１２】
本発明によれば、縁輪をベル本体に対して容易に着脱することができる。また、縁輪をベル本体に対して容易に着脱できることで、例えベル本体が木製であり、ベル本体が乾燥して収縮しても、ベル本体に別の縁輪を容易に取り付けることも可能となる。
【図面の簡単な説明】
【００１３】
【図１】本発明の第一実施形態に係る管楽器の正面図である。
【図２】図１の管楽器を構成する管楽器用ベルの正面図である。
【図３】図２の管楽器用ベルを構成するベル本体の半体断面図である。
【図４】図２の管楽器用ベルを構成する縁輪の平面図である。
【図５】図２の管楽器用ベルの要部拡大断面図である。
【図６】図１に示す管楽器において、縁輪の有無による管楽器の音響特性の違いを示すグラフである。
【図７】本発明の第二実施形態に係る管楽器用ベルの正面図である。
【図８】図７の管楽器用ベルを構成するベル本体の正面図である。
【図９】図８のベル本体を示す要部拡大図である。
【図１０】本発明の第三実施形態に係る管楽器用ベルに備える縁輪の要部拡大断面図である。
【図１１】本発明の他の実施形態に係る管楽器用ベルの要部拡大断面図である。
【発明を実施するための形態】
【００１４】
［第一実施形態］
以下、図１〜６を参照して本発明の第一実施形態について説明する。
図１に示すように、この実施形態に係る管楽器１は、木管楽器の一種のクラリネットである。管楽器１は、複数のキー１１を外周面に配した本体管部（管楽器本体）２と、本体管部２の一端に設けられたベル部（管楽器用ベル）３と、を備える。本体管部２は、従来周知のマウスピース２Ａ、バレル２Ｂ、上管２Ｃ及び下管２Ｄからなり、これらマウスピース２Ａ、バレル２Ｂ、上管２Ｃ及び下管２Ｄは、本体管部２の軸線方向に順番に並べて接続されている。
【００１５】
ベル部３は、図２，３に示すように、筒状に形成されたベル本体２０と、ベル本体２０の外周面に設けられる縁輪３０と、を備える。
ベル本体２０は、例えば木製あるいは樹脂製である。ベル本体２０の軸線Ｌ１方向の一方の端部は、ベル本体２０を本体管部２（下管）の一端に接続するための接続端部２１となっている。ベル本体２０の他方の端部は、管楽器１の音を外部に伝播させるための開口端部２２となっている。本実施形態のベル本体２０は、本体管部２に対して着脱可能となっている。このベル本体２０は、その内径及び外径が曲線的に増加するテーパ管に形成されている。ベル本体２０の内径及び外径は、開口端部２２において最大となる。また、本実施形態のベル本体２０の外周面は、例えば、開口端部２２においてベル本体２０の外径寸法が一定となるように、ベル本体２０の軸線Ｌ１に沿って平坦に形成されている。
【００１６】
ベル本体２０の外周面には、その周方向に延びて後述する縁輪３０を収容する収容溝部２３が形成されている。収容溝部２３は、図３，５に示すように、軸線Ｌ１を含む切断面において断面円弧状に形成されている。本実施形態では、収容溝部２３の内面が、半円よりも小さい円弧（劣弧）に形成されている。すなわち、本実施形態の収容溝部２３の内面は、軸線Ｌ１方向に沿う収容溝部２３の幅方向の一方の端縁から、ベル本体２０の径方向内側に向かうにしたがって収容溝部２３の幅方向の他方の端縁に向かうように傾斜する傾斜面２３Ａを有している。この傾斜面２３Ａは、収容溝部２３の内面のうち、開口端部２２側に位置する収容溝部２３の幅方向の一方の端縁のみに形成されてもよいが、図示例のように、収容溝部２３の幅方向の両方の端縁に形成されてもよい。
【００１７】
縁輪３０は、金属製（例えば、チタン、鉄、同、金、銀、亜鉛、錫、ニッケル、マグネシウム、アルミニウム、クロムのいずれか一つ又は二つ以上の合金）であり、図２，４，５に示すように、その周方向の一部を切り欠いた平面視Ｃ字状に形成されている。
縁輪３０は、外力を加えた際に変形するように形成されている。本実施形態の縁輪３０は、弾性変形可能に形成され、縁輪３０に対する外力を解除した際に、元の形状に復帰するようになっている。
周方向に対向する縁輪３０の一端３０Ａ及び他端３０Ｂは、丸みを帯びている、すなわち、半球状に形成されている。これら縁輪３０の一端３０Ａと他端３０Ｂとの間隔は、小さい方が好ましい。
【００１８】
縁輪３０の径方向内縁側の表面は、丸みを帯びている。本実施形態では、縁輪３０の径方向外縁側の表面も丸みを帯びている。すなわち、縁輪３０の周方向の断面は、図５に示すように、円形状に形成されている。
円形状に形成された縁輪３０の周方向の断面の半径寸法は、収容溝部２３の深さ寸法よりも大きく設定されている。言い換えれば、収容溝部２３の深さ寸法は、縁輪３０の径方向に沿う厚み寸法の半分以下となっている。このため、縁輪３０をベル本体２０に取り付けた状態では、縁輪３０の径方向内縁側の部分のみが収容溝部２３に収容され、縁輪３０の径方向外縁側の部分は、収容溝部２３から突出する。
【００１９】
縁輪３０の内径寸法は、縁輪３０をベル本体２０から取り外した状態で、収容溝部２３の底部におけるベル本体２０の外径寸法よりも小さく設定されている。このため、縁輪３０をベル本体２０に取り付けた状態では、縁輪３０が、その周方向の一端３０Ａ及び他端３０Ｂを互いに近づける方向に付勢し、縁輪３０が自身の弾性力によってベル本体２０を締め付けることになる。
【００２０】
次に、以上のように構成される管楽器１において、縁輪３０をベル本体２０に対して着脱する場合には、縁輪３０の一端３０Ａ及び他端３０Ｂが互いに離れるように縁輪３０を変形させればよい。
具体的に説明すれば、縁輪３０をベル本体２０に取り付ける際には、はじめに、縁輪３０の周方向の一端３０Ａ（あるいは他端３０Ｂ）をベル本体２０の収容溝部２３に収容すればよい。次いで、縁輪３０の周方向の一端３０Ａ（あるいは他端３０Ｂ）に連なる部分を少しずつ軸線Ｌ１方向に沿ってベル本体２０の接続端部２１側に移動させて、少しずつ収容溝部２３に収容すればよい。最後に、縁輪３０の他端３０Ｂ（あるいは一端３０Ａ）を収容することで、縁輪３０をベル本体２０に取り付けることができる。
この状態では、縁輪３０が、その周方向の一端３０Ａ及び他端３０Ｂを互いに近づける方向に付勢し、縁輪３０が自身の弾性力によってベル本体２０を締め付けている。
【００２１】
一方、縁輪３０をベル本体２０から取り外す際には、はじめに、縁輪３０の付勢力に抗うように、縁輪３０の周方向の一端３０Ａ（あるいは他端３０Ｂ）を、軸線Ｌ１方向に沿ってベル本体２０の開口端部２２側（図２において矢印Ａで示す方向）に移動させて、縁輪３０の一端３０Ａ（あるいは他端３０Ｂ）を収容溝部２３から出せばよい。次いで、縁輪３０の周方向の一端３０Ａ（あるいは他端３０Ｂ）に連なる部分を少しずつ軸線Ｌ１方向に沿ってベル本体２０の開口端部２２側に移動させて、少しずつ収容溝部２３から出せばよい。最後に、縁輪３０の他端３０Ｂ（あるいは一端３０Ａ）を収容溝部２３から出すことで、縁輪３０をベル本体２０から取り外すことができる。
【００２２】
以上説明したように、本実施形態に係る管楽器１、これに備えるベル部３及び縁輪３０によれば、縁輪３０が平面視Ｃ字状に形成されているため、縁輪３０の周方向の一端３０Ａ及び他端３０Ｂが互いに離れるように縁輪３０を変形（弾性変形）させることで、縁輪３０をベル本体２０に対して容易に着脱することができる。
また、縁輪３０をベル本体２０に対して容易に着脱できることで、例えベル本体２０が木製であり、このベル本体２０が乾燥して収縮しても、ベル本体２０に別の縁輪３０を容易に取り付けることも可能となる。
【００２３】
さらに、縁輪３０をベル本体２０に対して容易に着脱できることで、同一のベル本体２０を用いた管楽器１により二種類の音色を発することも可能となり、演奏する楽曲等に応じて音色を簡単に選択することができる。以下、図６のグラフを用いて説明する。
図６のグラフは、管楽器１の周波数特性の測定結果である。図中の「縁輪なし」は、縁輪３０をベル本体２０から取り外した場合の測定結果を示しており、図中の「縁輪あり」は、縁輪３０をベル本体２０に取り付けた場合の測定結果を示している。
【００２４】
図６のグラフによれば、縁輪３０をベル本体２０から取り外した場合には、音の低周波成分（例えば第５次倍音以下の低次倍音）が、縁輪３０をベル本体２０に取り付けた場合と比較して強い。また、聴感では、柔らかい音が得られ、低次倍音が支配的である上記結果と一致する。
一方、縁輪３０をベル本体２０に取り付けた場合には、音の高周波成分（例えば第６次倍音以上の高次倍音）が、縁輪３０をベル本体２０から取り外した場合と比較して強い。また、聴感では、明るい音が得られ、高次倍音が支配的である上記結果と一致する。
すなわち、縁輪３０をベル本体２０に取り付けた場合と、縁輪３０をベル本体２０から取り外した場合とでは、音色が異なることが分かる。
【００２５】
このような結果となる理由としては、縁輪３０をベル本体２０から取り外した場合には、ベル本体２０のうち開口端部２２の管壁に音圧エネルギーが吸収され、特に音の高周波数成分のダンピングが起きやすいことが考えられる。これに対し、縁輪３０をベル本体２０に取り付けた状態では、開口端部２２の管壁の剛性が上がるため、音の高周波数成分を多く含んだ気柱振動が減衰せずに維持されることが考えられる。
【００２６】
さらに、本実施形態によれば、縁輪３０をベル本体２０に取り付けた状態で、縁輪３０が自身の弾性力によってベル本体２０を締め付けるため、縁輪３０をベル本体２０の外周面に確実に固定することができる。
また、本実施形態によれば、縁輪３０をベル本体２０に取り付けた状態で、縁輪３０の径方向内縁側の部分のみが収容溝部２３に収容されるため、縁輪３０をベル本体２０に対して着脱する際に、縁輪３０の周方向の一端３０Ａや他端３０Ｂを径方向へ移動させる長さを小さく抑えることができる。したがって、縁輪３０をベル本体２０に対してさらに容易に着脱することが可能となる。
【００２７】
さらに、本実施形態によれば、収容溝部２３の内面が傾斜面２３Ａを有しているため、縁輪３０をベル本体２０に対して着脱する際に、縁輪３０の周方向の一端３０Ａや他端３０Ｂを傾斜面２３Ａに沿って移動させればよいため、さらに縁輪３０を収容溝部２３に対して着脱することが可能となる。
また、本実施形態によれば、縁輪３０の径方向内縁側の表面や、縁輪３０の一端３０Ａ及び他端３０Ｂが、丸みを帯びているため、縁輪３０をベル本体２０に対して着脱する際に、ベル本体２０の外周面が縁輪３０によって傷つけられることを防止できる。
【００２８】
〔第二実施形態〕
次に、図７〜９を参照して本発明の第二実施形態について説明する。
この実施形態では、第一実施形態のベル部３と比較して、ベル本体２０の構成のみが異なっており、その他の構成については第一実施形態と同様である。本実施形態では、第一実施形態と同一の構成要素について同一符号を付す等して、その説明を省略する。
【００２９】
図７〜９に示すように、この実施形態のベル部１３のベル本体４０には、収容溝部２３の周方向の一部をベル本体４０の開口端部（一方の端部）２２から外方に露出させる切欠部４４が形成されている。切欠部４４は、ベル本体４０の外周面から径方向内側に窪むように形成されている。切欠部４４の深さ寸法は、収容溝部２３の深さ寸法と同等に設定されている。切欠部４４の内面は、図９のように開口端部２２側から見て、例えば矩形状に形成されてもよいが、例えば図９に示すように円弧状に形成されていることがより好ましい。
【００３０】
本実施形態のベル部１３によれば、第一実施形態のベル部３と比較して、縁輪３０をベル本体４０に対してさらに容易に着脱することができる。
例えば、縁輪３０をベル本体４０に取り付ける場合には、はじめに縁輪３０の周方向の一端３０Ａ（あるいは他端３０Ｂ）を収容溝部２３に収容する際に、縁輪３０の一端３０Ａ（あるいは他端３０Ｂ）を他端３０Ｂ（あるいは一端３０Ａ）に対して径方向外側に動かすことなく、縁輪３０の一端３０Ａ（あるいは他端３０Ｂ）を切欠部４４に通すことで収容溝部２３に入れればよいため、縁輪３０の一端３０Ａ（あるいは他端３０Ｂ）を収容溝部２３に容易に収容することが可能となる。なお、このように縁輪３０をベル本体４０に取り付けた状態では、図９に示すように、縁輪３０の一端３０Ａ（あるいは他端３０Ｂ）が切欠部４４を通して外部に露出する。
また、例えば縁輪３０をベル本体４０から取り外す場合には、はじめに縁輪３０の周方向の一端３０Ａ（あるいは他端３０Ｂ）を縁輪３０の一端３０Ａ（あるいは他端３０Ｂ）収容溝部２３から出す際に、縁輪３０の一端３０Ａ（あるいは他端３０Ｂ）を他端３０Ｂ（あるいは一端３０Ａ）に対して径方向外側に動かすことなく、縁輪３０の一端３０Ａ（あるいは他端３０Ｂ）を図７に示す矢印Ａ方向に移動させて切欠部４４に通すことで、縁輪３０の一端３０Ａ（あるいは他端３０Ｂ）を収容溝部２３から容易に出すことが可能となる。
【００３１】
〔第三実施形態〕
次に、図１０を参照して本発明の第三実施形態について説明する。
この実施形態では、第一実施形態のベル部３と比較して、縁輪の構成のみが異なっており、その他の構成については第一実施形態と同様である。
図１０に示すように、この実施形態の縁輪５０は、その周方向の一端５０Ａ及び他端５０Ｂを連結すると共に、これら一端５０Ａと他端５０Ｂとの間隔を調整する調整ねじ部５２を備える。調整ねじ部５２は、板状の操作部５３と、操作部５３から互いに逆向きに突出する一対の雄ねじ部５４Ａ，５４Ｂと、を備える。
【００３２】
一対の雄ねじ部５４Ａ，５４Ｂは、同一軸線上に配されている。一対の雄ねじ部５４Ａ，５４Ｂの一方は右ねじであり、他方は左ねじとなっている。縁輪５０の周方向の一端５０Ａ及び他端５０Ｂには、各雄ねじ部５４Ａ，５４Ｂに対応するねじ孔５５Ａ，５５Ｂが形成されている。一対の雄ねじ部５４Ａ，５４Ｂは各ねじ孔５５Ａ，５５Ｂに螺着されている。
操作部５３は、例えば作業者の手指やスパナ等の簡易な工具により、一対の雄ねじ部５４Ａ，５４Ｂをその軸線周りに回転させる部分である。操作部５３は、縁輪５０の一端５０Ａと他端５０Ｂとの間に配されている。操作部５３は、例えば図１０のように正多角柱形に形成されてもよいし、例えば任意の柱形状に形成されると共に、操作部５３の外周面にローレット加工が施されてもよい。
以上のように構成される縁輪５０は、第一、第二実施形態と同様に弾性変形可能に形成されてもよいが、例えば塑性変形可能に形成されてもよい。
【００３３】
上記した本実施形態の縁輪５０では、調整ねじ部５２を一方の回転方向に回転させた際に、縁輪５０の一端５０Ａと他端５０Ｂとの間隔が広がるように縁輪５０が変形する。この場合、縁輪５０の内径寸法が大きくなる。また、調整ねじ部５２をその軸線周りの他方に回転させた際には、縁輪５０の一端５０Ａと他端５０Ｂとの間隔が狭まるように縁輪５０が変形する。この場合、縁輪５０の内径寸法が小さくなる。
【００３４】
本実施形態によれば、調整ねじ部５２により縁輪５０の周方向の一端５０Ａと他端５０Ｂとの間隔を調整することで、縁輪５０の内径寸法が変化するため、第一実施形態のベル部３と比較して、縁輪５０をベル本体４０に対してさらに容易に着脱することが可能となる。
例えば、縁輪５０をベル本体４０に取り付ける際には、予め操作部５３を操作して縁輪５０の内径寸法をベル本体４０の外径寸法よりも大きくすればよい。そして、縁輪５０を収容溝部２３の径方向外側に配した状態で、操作部５３を操作して縁輪５０の内径寸法を小さくするだけで、縁輪５０を収容溝部２３に収容すると共に、縁輪５０をベル本体４０に締め付けて固定することができる。
【００３５】
以上、上記実施形態により本発明について詳細に説明したが、本発明は上記実施形態に限定されるものではなく、本発明の趣旨を逸脱しない範囲において種々の変更を加えることが可能である。
例えば、上記実施形態では、縁輪３０，５０の周方向の断面が円形状に形成されているが、これに限ることはなく、少なくとも縁輪３０，５０の径方向内縁側の表面が丸みを帯びていればよい。縁輪３０，５０の周方向の断面は、例えば図１１に示すように、縁輪５０の径方向内縁側の表面が円弧状に形成されたティアドロップ形状に形成されてもよい。また、例えば縁輪３０，５０の周方向の断面が多角形状に形成されると共に、縁輪３０，５０の径方向内縁側に位置する角部が丸みを帯びていてもよい。これらの構成であっても、上記実施形態の場合と同様に、縁輪３０，５０をベル本体２０，４０に対して着脱する際に、ベル本体２０，４０の外周面を傷つけることを防止できる。
【００３６】
また、上記実施形態では、本発明をベル本体２０の外周面に設けられる縁輪３０，５０に適用して説明したが、本発明は、例えば、金属製のリング状に形成されて、マウスピース２Ａ、バレル２Ｂ、上管２Ｃ、下管２Ｄ、ベル部３の各接続部分の外周面に設けられる胴輪６０（図１参照）にも適用することが可能である。
さらに、上記実施形態では、本発明をクラリネットに適用して説明したが、本発明は他の管楽器にも適用可能である。他の管楽器としては、例えばクラリネット、オーボエ、ファゴット、リコーダー等の木管楽器が挙げられる。
【符号の説明】
【００３７】
１…管楽器、２…本体管部（管楽器本体）、３…ベル部（管楽器用ベル）、２０，４０…ベル本体、２１…接続端部（一方の端部）、２２…開口端部（他方の端部）、２３…収容溝部、２３Ａ…傾斜面、３０，５０…縁輪、３０Ａ，５０Ａ…一端、３０Ｂ，５０Ｂ…他端、４４…切欠部、５２…調整ねじ部、５３…操作部、５４Ａ，５４Ｂ…雄ねじ部、５５Ａ，５５Ｂ…ねじ孔
【図１】
2015034950.tif 000003
【図２】
2015034950.tif 000004
【図３】
2015034950.tif 000005
【図４】
2015034950.tif 000006
【図５】
2015034950.tif 000007
【図６】
2015034950.tif 000008
【図７】
2015034950.tif 000009
【図８】
2015034950.tif 000010
【図９】
2015034950.tif 000011
【図１０】
2015034950.tif 000012
【図１１】
2015034950.tif 000013